(57)【要約】【課題】  部屋の通常の採光用としてだけでなく常夜灯としても使用できるＬＥＤ照明ドアを提供することである。【解決手段】  ドア本体１１に設置された複数個の透光部１２の窓枠１３に複数個のＬＥＤ１６を配置するとともに、ドア本体にＬＥＤの点消灯を行うスイッチ１５を設ける。そして、このスイッチ１５により、透光部１２のＬＥＤ１６の点消灯を行うとともに、透光部１２の下方に配置されたＬＥＤ１６を常夜灯として点灯させる。これにより、建築と一体化した照明が可能となり、透光部１２のＬＥＤ１６を点灯して装飾照明をすることができ、また、部屋内や部屋外の廊下などの照明にもなる。【選択図】  図１
2006125065.tif 000002
【特許請求の範囲】
【請求項１】
ドア本体と；
ドア本体に設置された透光部と；
透光部の側方に配置された複数個のＬＥＤと；
ＬＥＤの点消灯を行うとともに、透光部の下方に配置されたＬＥＤを常夜灯として点灯させるスイッチと；
を備えたことを特徴とするＬＥＤ照明ドア。
【請求項２】
前記スイッチは前記ドア本体のノブの近傍に設けられたことを特徴とする請求項１記載のＬＥＤ照明ドア。
【発明の詳細な説明】
【技術分野】
【０００１】
本発明は、ドア本体の透光部にＬＥＤを設置して部屋の装飾照明や常夜灯として使用するＬＥＤ照明ドアに関する。
【背景技術】
【０００２】
発光ダイオード（ＬＥＤ）は電力消費が少なく長寿命であることから、電球を用いた照明装置に代えて発光ダイオード（ＬＥＤ）を用いた照明装置が開発されている。また、各種情報を表示する表示装置の光源としても使用されている。さらに、意匠的な演色をするためにＬＥＤが用いられる場合もある。
【０００３】
屈曲部等のない滑らかな曲面状のＬＥＤ表示装置を形成し、斜め方向からの視認性も良好にして装飾照明に用いたものがある（例えば、特許文献１参照）。また、コースター内部にリチウム電池とＬＥＤ電球とを配置し、コースターにガラスコップを載せるとコップの底面から光が入り、コースターの本質的用途に変わりなく使用しながら、光による視覚的効果によってインテリアとしても活用できるようにしたものがある（例えば、特許文献２参照）。
【特許文献１】特開２００１−６７０２３号公報（図１４〜図１７）
【特許文献２】実開平６−４５５７８号公報（図３）
【発明の開示】
【発明が解決しようとする課題】
【０００４】
しかしながら、特許文献１のものは、曲面部を含む表示面に沿ってＬＥＤ表示ディバイスを配設して表示面を全体に滑らかな湾曲形状とし、斜め方向からの表示面の視認性を極めて有利に確保するものであり、特定の物品に組み込まれて装飾照明を行うものではない。一方、特許文献２のものは、コースターの本質的用途に変わりなく使用しながら、光による視覚的効果によってインテリアとしても活用できるようにしたものであるが、コースターとコップとの装飾照明にとどまり、建家の部屋の照明をするものではない。
【０００５】
本発明の目的は、部屋の通常の採光用としてだけでなく常夜灯としても使用できるＬＥＤ照明ドアを提供することである。
【課題を解決するための手段】
【０００６】
請求項１の発明に係わるＬＥＤ照明ドアは、ドア本体と；ドア本体に設置された透光部と；透光部の側方に配置された複数個のＬＥＤと；ＬＥＤの点消灯を行うとともに、透光部の下方に配置されたＬＥＤを常夜灯として点灯させるスイッチと；を備えたことを特徴とする。
【０００７】
本発明及び以下の発明において、特に指定しない限り用語の定義及び技術的意味は以下による。ドア本体は、建家内の部屋や廊下等を仕切るために用いられたドアの本体であるが、建家と外部とを仕切るドアの本体、例えば玄関ドアや勝手口のドアの本体も含む。ドアは開きドアだけでなく引き戸形式のドアも含む。
【０００８】
透光部は採光用としてまた装飾用として設置された双方を含む。ＬＥＤは透光部の側方に沿って配置される。ＬＥＤの発光色としては白色や電球色のものを用いるがそれに限定されない。スイッチは、ＬＥＤに供給する電源の入切を行うものであり、通常の使用状態でのＬＥＤの点消灯を行うとともに、透光部の下部に設置されたＬＥＤを常夜灯として点灯させることができる機能を有する。
【０００９】
請求項２の発明に係わるＬＥＤ照明ドアは、請求項１の発明において、前記スイッチは前記ドア本体のノブの近傍に設けられたことを特徴とする。
【００１０】
本発明は、スイッチをドア本体のノブの近傍に設けたものである。ノブの近傍にスイッチを設けることによって、ドア本体の開閉操作時にＬＥＤの点消灯や常夜灯として点灯させるための選択が容易にできる。
【発明の効果】
【００１１】
請求項１の発明によれば、ドア本体の透光部の側方にＬＥＤを設置するので、建築と一体化した照明が可能となる。また、複数個の透光部のＬＥＤを点灯して装飾照明をすることができ、また、部屋内や部屋外の廊下などの照明にもなる。さらには、透光部の下方に配置されたＬＥＤを常夜灯として点灯させることができる。
【００１２】
ＬＥＤは半導体発光素子であり、電球に比較してフィラメントを有するものではないため、ドアの開閉による衝撃によって切れることがない。また、蛍光ランプに比較して温度依存性も相対的に少なく、ドアの内外で温度が異なっても、所定の特性により点灯することができる。従って、ドアの照明光源として適しており格別な効果を有する。
【００１３】
請求項２の発明によれば、装飾照明や常夜灯の切換スイッチはドア本体のノブの近傍に設けるので、部屋の入退出時に容易に表示の切り換えを行うことができる。
【発明を実施するための最良の形態】
【００１４】
図１は本発明の実施の形態に係わるＬＥＤ照明ドアの正面図、図２は透光部の詳細図、図３は透光部の断面図である。建家に設けられたドア本体１１には、複数個の透光部１２が設けられている。図１では５個の透光部１２が設けられた場合を示している。透光部１２はそれぞれ窓枠１３を有し、後述するように、この窓枠１３の側方に複数個のＬＥＤが取り付けられる。ドア本体１１にはノブ１４が設けられており、このノブ１４の近傍にＬＥＤの点消灯を行うためのスイッチ１５が取り付けられている。
【００１５】
図２に示すように、この透光部１２の周囲には複数個のＬＥＤ１６が設けられており、複数個のＬＥＤ１６からの光は導光ガラス１７に照射される。導光ガラス１７は化粧枠１８により把持されている。図２では、透光部１２の各辺にそれぞれ１１個のＬＥＤが設けられた場合を示している。
【００１６】
図３は図２のＡ−Ａ線での断面図である。透光部１２の窓枠１３には化粧枠１８が取り付けられ、その化粧枠１８に導光ガラス１７が取り付けられる。化粧枠１８の周囲には複数個のＬＥＤ１６が取り付けられ、その複数個のＬＥＤ１６の取付位置に対応して導光ガラス１７が化粧枠１８に把持されて取り付けられる。導光ガラス１７は、例えば透明導電膜付ガラスで形成され、ＬＥＤ１６の配線を透明導電膜付ガラスにより見えにくくしたものを使用する。また、導光ガラス１７は、透明導電膜付ガラスに代えて、ガラス、ガラス調のアクリル樹脂、あるいはフロスト処理されたガラスやアクリル樹脂を用いるようにしてもよい。
【００１７】
ＬＥＤ１６の発光部は導光ガラス１７に向けて光を照射するように配置される。従って、縦方向及び横方向でそれぞれ対面するＬＥＤ１６からの光は導光ガラス１７の中央部で混ざり合うことになる。一方、隣接する辺のＬＥＤからの光は直角方向で混ざり合うことになり、導光ガラス１７の内部でこれら混ざり合った光が透光部１２のガラス板を通して照明光としてドアの正面及び背面から照射される。これにより、照明ドアで仕切られた空間の内外の照明が可能となる。
【００１８】
ＬＥＤの発光色としては白色や電球色のものを用いるが、装飾性を出すために、例えば、赤、青、緑、その他の有色のＬＥＤを用いてもよい。また、透光部１２の配置されるＬＥＤの発光色は各辺とも同一色のＬＥＤを用いてもよいし、一部の辺には異なる発光色のＬＥＤを用い他の辺は同一色のＬＥＤを用いてもよい。さらには、各辺ごとに異なる発光色を用いてもよく、発光色が異なるＬＥＤを同じ辺に混在させてもよい。
【００１９】
スイッチ１５は、ＬＥＤ１６に供給する電源の入切を行うものであり、通常の使用状態でのＬＥＤ１６の点消灯を行うとともに、透光部１２のうち下部の透光部１２のＬＥＤを常夜灯として点灯させる機能を有する。
【００２０】
図４は、透光部１２のＬＥＤ１６の点灯の一例を示す説明図である。図４では、各々の透光部１２の上辺のＬＥＤ１６として電球色のＬＥＤを用い、他の各辺（縦辺、横辺及び下辺）のＬＥＤ１６として白色のＬＥＤを用いた場合を示している。
【００２１】
図４（ａ）は通常の点灯状態を示しており、複数個のすべての透光部１２について、縦辺、横辺及び下辺のＬＥＤ１６を点灯した場合を示している。この点灯により、白色光が透光部１２を通して、照明ドアで仕切られた空間の内外の照明が行われる。図４（ｂ）は照度を下げた通常の点灯状態を示しており、複数個のすべての透光部１２について、上辺のＬＥＤ１６を点灯した場合を示している。この点灯により、電球色光が透光部１２を通して、照明ドアで仕切られた空間の内外の照明が行われる。この場合、点灯しているＬＥＤは透光部１２の上辺のＬＥＤだけであるので、全体としての照度は下がったものとなる。
【００２２】
図４（ｃ）は常夜灯としての点灯状態を示している。複数の透光部１２のうち下部の透光部１２の上辺のＬＥＤ１６を常夜灯として点灯させた場合を示している。これにより、照明ドアの下部の透光部１２が電球色光で照明されるので、常夜灯として使用できる。図４（ｄ）は消灯状態を示している。昼間時等の照明を必要としない場合には透光部１２のＬＥＤを消灯させる。
【００２３】
以上の点消灯状態は、ドア本体１１のノブ１４の近傍に設けられたスイッチ１５により切り換えが行われる。ノブ１４の近傍にスイッチ１５を設けることによって、ドア本体１１の開閉操作時にＬＥＤ１６の点消灯や常夜灯として点灯させるための選択が容易にできる。
【００２４】
本発明の実施の形態によれば、ドア本体１１に設置してある透光部１２にＬＥＤ１６を内蔵し、部屋の装飾照明及び常夜灯として使用するので、空間を広く使え、また、建築と一体化した照明が可能となる。超小形かつ薄型であるＬＥＤのメリットを生かし、ＬＥＤ１６を透光部１２の全周に配置し光の導光効果により照明するので、不点灯時は光源であるＬＥＤ１６が見えず普通の透光部１２であり、点灯時は光の導光効果により美しい間接照明が得られる。超小形かつ定電圧であるＬＥＤのメリットを生かし、ＬＥＤ１６の配線を透明導電膜ガラスにより見えにくくしたものを使用することにより、不点灯時はガラス表面上に配置してあるＬＥＤ１６及び配線はほとんど見えず、点灯時のみＬＥＤによる照明が見えるため装飾効果も得られる。
【００２５】
ＬＥＤは固体光源として振動に強いため、ドア本体１１の開閉振動に耐えられる光源として最適であり、また、ＬＥＤ１６は寿命４万時間と長寿命のためランプメンテフリーとしてドア照明に最適である。ＬＥＤ照明ドアは部屋の境にあるため、部屋の内外に照明でき省エネルギーにも貢献する。さらに、夜間に下部の透光部１２だけ点灯しておくことができるので、常夜灯としての機能も発揮でき安全である。
【図面の簡単な説明】
【００２６】
【図１】本発明の実施の形態に係わる照明ドアの正面図。
【図２】本発明の実施の形態に係わる照明ドアにおける透光部の詳細図。
【図３】本発明の実施の形態に係わる照明ドアにおける透光部の断面図。
【図４】本発明の実施の形態に係わる照明ドアにおける透光部のＬＥＤの点灯の一例を示す説明図。
【符号の説明】
【００２７】
１１…ドア本体、１２…透光部、１３…窓枠、１４…ノブ、１５…スイッチ、１６…ＬＥＤ、１７…導光ガラス、１８…化粧枠
【図１】
2006125065.tif 000003
【図２】
2006125065.tif 000004
【図３】
2006125065.tif 000005
【図４】
2006125065.tif 000006